(57)【要約】      （修正有）【課題】本や雑誌など、書籍類の見開いた頁を絵画のように鑑賞するために、壁面等の垂直面にも取り付け可能な書籍展示具を提供する。【解決手段】壁面等の設置面に当接され、固定するための取付部材１と、書籍類Ｅ等の被載置物を立てて載せ置く地板とで断面鈎状となり、取付ピンＤなどで壁面等の垂直面にも固定可能で、書籍類等の被載置物を上部から支持する天板と、書籍類等の被載置物の前後を挟み込み支持する押え部４とで構成される。なお、取付ピンは、用途や書籍類の重量、設置面材に応じて、磁石、ネジ、接着剤、平面ファスナ、両面テープ、紐、釘、針金等を使用しても良い。【選択図】図１
2017064347.tif 000002
【特許請求の範囲】
【請求項１】
壁面等の設置面に当接され、固定するための取付部材と、書籍類等の被載置物を立てて載せ置く地板とで断面鈎状となり、取付ピンなどで壁面等の垂直面にも固定可能で、書籍類等の被載置物を上部から支持する天板と、書籍類等の被載置物の前後を挟み込み支持する押え部とで構成されることを特徴とする書籍展示具。
【請求項２】
前記取付ピンは、用途や書籍類等の被載置物の形状や重量、又は壁面等の設置面材に応じて、磁石、ネジ、接着剤、平面ファスナ、両面テープ、紐、釘、針金等を使用することを特徴とする請求項１に記載の書籍展示具。
【発明の詳細な説明】
【技術分野】
【０００１】  本発明は、本や雑誌など、書籍類の見開いた頁を絵画のように鑑賞するために、壁面等の垂直面にも取り付け可能な書籍展示具に関する。
【背景技術】
【０００２】  従来、書籍類の見開いた状態を保持するものとしては、様々な書見台が既に公知となっているが、それらはすべて書籍類を読むためのものであって、鑑賞を目的としてはいなかった。鑑賞用ではないが、壁面等の垂直面にも取り付け可能な書籍保持具としては、クリップを模して形成された書籍等の被載置物を保持するための保持具本体と、該保持具本体を壁面等の取付面に設置するための止着部材とを備えてなることを特徴とする書籍保持具が既に公知となっている（特許文献１参照）。
【先行技術文献】
【特許文献】
【０００３】
【特許文献１】  実用新案登録第３１１５６７６号公報
【発明の概要】
【発明が解決しようとする課題】
【０００４】  しかしながら、上述した書籍保持具では、書籍等の被載置物を下端側のみから保持するため、クリップを模して形成された保持具本体が大きくなってしまい、書籍類の見開いた頁を絵画のように鑑賞するためのものとしては、保持具本体が目立ちすぎるという問題があった。
【課題を解決するための手段】
【０００５】  壁面等の設置面に当接され、固定するための取付部材と、書籍類等の被載置物を立てて載せ置く地板とで断面鈎状となり、取付ピンなどで壁面等の垂直面にも固定可能で、書籍類等の被載置物を上部から支持する天板と、書籍類等の被載置物の前後を挟み込み支持する押え部とで構成される。なお、取付ピンは、用途や書籍類の重量、設置面材に応じて、磁石、ネジ、接着剤、平面ファスナ、両面テープ、紐、釘、針金等を使用しても良い。
本発明は以上の構成を特徴とした書籍展示具である。
【発明の効果】
【０００６】  本発明は、上述のように構成され、書籍類の見開いた状態を上下から挟み込み保持することで、書籍類にかぶる押え部の面を薄く及び比較的小さくすることが可能で、目立ちにくいという効果があり、書籍類の見開いた頁を絵画のように鑑賞するためのものとして優れている。
【図面の簡単な説明】
【０００７】
【図１】  本発明に係る書籍展示具の一実施形態を示す斜視図である。
【図２】  同書籍展示具の横断面図（ｘ−ｘ）である。
【図３】  同書籍展示具の正面図と縦断面図（ｙ−ｙ）である。
【発明を実施するための形態】
【０００８】  本発明の一実施形態について図面を参照しながら説明する。
図１に示す（Ａ）は、本発明に係る書籍展示具（Ａ）の一実施形態を示すものであり、この書籍展示具（Ａ）は、下部材（Ｂ）と上部材（Ｃ）とを備えている。
【０００９】  図１に示す下部材（Ｂ）は、壁面等の設置面に当接される取付部材（１）と、該取付部材（１）から突設され、可動部（５）を挿着可能な形状の可動受部（２）と、該取付部材（１）の下端側から突設された地板部（３）と、該地板部（３）の遊端側から突設された押え部（４）とから構成されている。
【００１０】  前記下部材（Ｂ）は、該下部材（Ｂ）を壁面等の設置面に固定するための取付部材（１）などを備え、書籍類等の被載置物を載せ置き、該被載置物が設置面と反対方向に倒れるのを防ぐ機能を有している。
【００１１】  前記取付部材（１）は、取付孔（７）を複数設け、取付ピン（Ｄ）を使い設置面に固定する。
【００１２】  また、上部材（Ｃ）は、壁面等の設置面に平行な可動部（５）と、該可動部（５）の上端側から突設された天板部（６）と、該天板部（６）の遊端側に突設または立設された押え部（４）とから構成されている。
【００１３】  前記上部材（Ｃ）は、書籍類等の被載置物が設置面と反対方向に倒れるのを防ぐ機能と、下部材（Ｂ）と連携し、上部材（Ｃ）を動かすことで書籍類等の出版物のＡ６判からＡ４判までの長手方向に対応するスペース（８）を確保及び調整可能とする機能を有している。
【００１４】  前記下部材（Ｂ）及び上部材（Ｃ）は、例えば、ＡＢＳ樹脂、ＰＥＴ樹脂、ポリカーボネード等の硬質な合成樹脂材から成形されている。
【００１５】  前記押え部（４）は、見開き状態に保持された書籍類の文字・内容等が透視可能な素材が望ましい。
【００１６】  前記取付ピン（Ｄ）は、取付部材（１）の厚みや、被載置物の重量に応じて、虫ピンやカーペット用のピンなど、長さを使い分けるものとする。
【００１７】  更に、本実施形態では、押え部（４）を地板部（３）及び天板部（６）にそれぞれ固定しているが、これに限定されることなく、書籍類の厚みに応じて差込スペース（９）を変えられるように、押え部（４）を摺動自在に取り付けても良い。
【００１８】  このように構成される本発明の書籍展示具（Ａ）は、まず、下部材（Ｂ）を設置面に固定し、上部材（Ｃ）を動かし、書籍類が入るスペース（８）を確保し、書籍類の所望頁を開いた後、図１に示すように、そのまま地板部（３）の差込スペース（９）に挟み入れ、更に、上部材（Ｃ）を動かし天板部（６）の差込スペースＳに書籍類を挟み入れるとともに、下部材（Ｂ）とで書籍類を上下で支持することで、書籍類を見開いて立った状態を保持し、壁面等の垂直面に展示することができる。
【００１９】  また、この書籍展示具（Ａ）は、壁等の垂直面のみならず、机等の水平面でも書籍類を見開き状態に保持できるため、例えば、ショーケース等に入れて展示される古文書や巻物を一面にひろげて展示する場合でも使用できるので便利である。
【００２０】  なお、本発明の書籍展示具（Ａ）は、本実施形態に限定されることなく、本発明の目的の範囲内で自由に設計変更し得るものであり、本発明はそれらの全てを包摂するものである。
【００２１】  例えば、本実施形態では、下部材（Ｂ）及び上部材（Ｃ）を硬質の合成樹脂材で成形しているが、これに限定されることなく、木材、金属、その他の適宜材料で成形したものを使用しても良い。
【００２２】  また、本実施形態では、取付部材（１）は、比較的薄い板状とし、取付孔（７）を設けて取付ピン（Ｄ）で設置面に固定しているが、これに限定されることなく、用途や書籍類の重量、設置面材に応じ、磁石、ネジ、接着剤、平面ファスナ、両面テープ、紐、釘、針金等を使用することで、設置面に固定しても良い。
【００２３】  更には、図１に示す表示面（１０）はその表面に、展示目的に応じた図柄や、人気アニメ、キャラクター人形、フィギュア等を描いたり、それらの形状を模して成形を使用しても良い。
【００２４】  因みに、書籍展示具（Ａ）は、主に書籍類を見開き状態に保持するために使用されるものであるが、本実施形態及び本発明の名称に限定されることなく、本や雑誌等の書籍類以外の写真、賞状、額縁、更にはパネルを展示することも可能であり、これらは全て本明細書で言及している「被載置物」に包摂されるものである。
【００２５】  更には、本明細書で言及している「断面鈎状」とは、断面形状がＬ型のみならず、Ｕ型、その他、先端若しくは全体が僅かでも湾曲若しくは屈曲して書籍等の被載置物を載せ置くことができる全ての折曲形状を総称するものである。
【符号の説明】
【００２６】Ａ    書籍展示具
Ｂ    下部材
Ｃ    上部材
Ｄ    取付ピン
Ｅ    書籍類
１    取付部材
２    可動受部
３    地板部
４    押え部
５    可動部
６    天板部
７    取付孔
８    スペース
９    差込スペース
１０  表示面
【図１】
2017064347.tif 000003
【図２】
2017064347.tif 000004
【図３】
2017064347.tif 000005